(57)【要約】【課題】成形性及びリワーク性が良好であると共に被着面との密着力が高く、止水性に優れるサッシ用止水材を提供する。【解決手段】ブチルゴム（ａ１）及びエチレン−プロピレン−ジエンゴム（ａ２）の合計含有量が８０質量％以上であるゴム成分（Ａ）及び石油樹脂系粘着付与剤（Ｂ）を含み、厚さが０．０１〜２．０ｍｍである密着層と、独立気泡率が７０％以上である独立気泡発泡体シートとを密着させたサッシ用止水材であり、前記ブチルゴム（ａ１）に対する前記エチレン−プロピレン−ジエンゴム（ａ２）の質量比［（ａ２）／（ａ１）］が０／１００〜３０／７０であり、前記ゴム成分（Ａ）１００質量部に対する石油樹脂系粘着付与剤（Ｂ）の含有量が１．０〜７．０質量部であり、２５％圧縮応力が１０〜８００ｋＰａであるサッシ用止水材。【選択図】なし【特許請求の範囲】
【請求項１】
ブチルゴム（ａ１）及びエチレン−プロピレン−ジエンゴム（ａ２）の合計含有量が８０質量％以上であるゴム成分（Ａ）及び石油樹脂系粘着付与剤（Ｂ）を含み、厚さが０．０１〜２．０ｍｍである密着層と、独立気泡率が７０％以上である独立気泡発泡体シートとを密着させたサッシ用止水材であり、前記ブチルゴム（ａ１）に対する前記エチレン−プロピレン−ジエンゴム（ａ２）の質量比［（ａ２）／（ａ１）］が０／１００〜３０／７０であり、前記ゴム成分（Ａ）１００質量部に対する石油樹脂系粘着付与剤（Ｂ）の含有量が１．０〜７．０質量部であり、２５％圧縮応力が１０〜８００ｋＰａであるサッシ用止水材。
【請求項２】
前記独立気泡発泡体シートがオレフィン系樹脂を発泡させたものである、請求項１に記載のサッシ用止水材。
【請求項３】
前記独立気泡発泡体シートの見掛け密度が１５〜７００ｋｇ／ｍ3である、請求項１又は２に記載のサッシ用止水材。
【請求項４】
前記ブチルゴム（ａ１）の１２５℃におけるムーニー粘度ＭＬ（１＋８）が、２０〜６０である、請求項１〜３のいずれかに記載のサッシ用止水材。
【請求項５】
前記独立気泡発泡体シートの厚さが０．０５〜１５ｍｍである、請求項１〜４のいずれかに記載のサッシ用止水材。
【請求項６】
前記密着層の厚さが０．０３〜１．０ｍｍである、請求項１〜５のいずれかに記載のサッシ用止水材。
【請求項７】
前記質量比［（ａ２）／（ａ１）］が１／９９〜３０／７０である、請求項１〜６のいずれかに記載のサッシ用止水材。
【請求項８】
前記独立気泡発泡体シートの独立気泡率が８０〜１００％である、請求項１〜７のいずれかに記載のサッシ用止水材。
【発明の詳細な説明】
【技術分野】
【０００１】
本発明は、サッシ用止水材に関する。
【背景技術】
【０００２】
建築物の外壁の開口部に設けられるサッシ窓においては、サッシと窓を構成するガラスとの間の間隙を埋めて水の浸入を防止するために、止水シール材が広く使用されている。
例えば、特許文献１には、ブチルゴムとポリエチレンとを含有する含浸剤を含浸させた不織布基材と、該不織布基材上に設けられたブチルゴム粘着剤層とを有するシートが記載されている。
このような止水シール材は、圧縮された状態で被着部分に配置され、その圧縮状態から形状回復しようとする反発応力によって、被着部分の界面に隙間なく密着するように構成さるが、特許文献１に記載されたシートのように柔軟性が高くない基材を用いた場合には、止水性が不十分になるという問題が生じる。
そこで、特許文献１に記載されるような基材よりも圧縮柔軟性に優れる連続気泡発泡体を止水シール材として使用することが検討されている。
【先行技術文献】
【特許文献】
【０００３】
【特許文献１】特開２０００−８６９８２号
【発明の概要】
【発明が解決しようとする課題】
【０００４】
連続気泡発泡体を止水シール材として用いる場合、サッシの形状に合わせて加工する必要があるため成形性に優れている必要がある。また、サッシの被着部分に対して強固な密着性が必要とされる一方で、当該シートを製品に取り付ける際に取り付け位置を微修正することができるように、剥離性及び再貼付性（以下、「リワーク性」ともいう。）に優れている必要がある。
本発明は、上記課題を鑑みてなされたものであり、成形性及びリワーク性が良好であると共に被着面との密着力が高く、止水性に優れるサッシ用止水材を提供する。
【課題を解決するための手段】
【０００５】
本発明は、ブチルゴム（ａ１）及びエチレン−プロピレン−ジエンゴム（ａ２）の合計含有量が８０質量％以上であるゴム成分（Ａ）及び石油樹脂系粘着付与剤（Ｂ）を含み、厚さが０．０１〜２．０ｍｍである密着層と、独立気泡率が７０％以上である独立気泡発泡体シートとを密着させたサッシ用止水材であり、前記ブチルゴム（ａ１）に対する前記エチレン−プロピレン−ジエンゴム（ａ２）の質量比［（ａ２）／（ａ１）］が０／１００〜３０／７０であり、前記ゴム成分（Ａ）１００質量部に対する石油樹脂系粘着付与剤（Ｂ）の含有量が１．０〜７．０質量部であり、２５％圧縮応力が１０〜８００ｋＰａであるサッシ用止水材、を要旨とするものである。
【発明の効果】
【０００６】
本発明によれば、成形性及びリワーク性が良好であると共に被着面との密着力が高く、止水性に優れるサッシ用止水材を提供することができる。
【発明を実施するための形態】
【０００７】
本発明のサッシ用止水材は、ブチルゴム（ａ１）及びエチレン−プロピレン−ジエンゴム（ａ２）の合計含有量が８０質量％以上であるゴム成分（Ａ）及び石油樹脂系粘着付与剤（Ｂ）を含み、厚さが０．０１〜２．０ｍｍである密着層と、独立気泡率が７０％以上である独立気泡発泡体シートとを密着させたサッシ用止水材であり、前記ブチルゴム（ａ１）に対する前記エチレン−プロピレン−ジエンゴム（ａ２）の質量比［（ａ２）／（ａ１）］が０／１００〜３０／７０であり、前記ゴム成分（Ａ）１００質量部に対する石油樹脂系粘着付与剤（Ｂ）の含有量が１．０〜７．０質量部であり、２５％圧縮応力が１０〜８００ｋＰａであるものである。
【０００８】
［密着層］
本発明に用いる密着層は、ブチルゴム（ａ１）及びエチレン−プロピレン−ジエンゴム（ａ２）の合計含有量が８０質量％以上であるゴム成分（Ａ）及び石油樹脂系粘着付与剤（Ｂ）を含み、厚さが０．０１〜２．０ｍｍであるものである。本発明においては、密着層に前記特定のゴム成分（Ａ）及び石油樹脂系粘着付与剤（Ｂ）を用いているため、リワーク性及び止水性に優れたサッシ用止水材を提供することができる。
【０００９】
＜ゴム成分（Ａ）＞
本発明におけるゴム成分（Ａ）は、ブチルゴム（ａ１）及びエチレン−プロピレン−ジエンゴム（ａ２）の合計含有量が８０質量％以上である。ブチルゴム（ａ１）及びエチレン−プロピレン−ジエンゴム（ａ２）の合計含有量が８０質量％未満であると、止水性が低下する。
ゴム成分（Ａ）中に含まれるブチルゴム（ａ１）及びエチレン−プロピレン−ジエンゴム（ａ２）の合計含有量は、リワーク性及び止水性を向上させる観点から、８０質量％以上であり、好ましくは８５質量％以上、より好ましくは９０質量％以上、更に好ましくは９５質量％以上、より更に好ましくは９８質量％以上、より更に好ましくは１００質量％である。
【００１０】
ゴム成分（Ａ）は、前記ブチルゴム（ａ１）に対する前記エチレン−プロピレン−ジエンゴム（ａ２）の質量比［（ａ２）／（ａ１）］が０／１００〜３０／７０である。質量比［（ａ２）／（ａ１）］が前記範囲内であると、成形性、リワーク性及び止水性が向上する。
本発明において質量比［（ａ２）／（ａ１）］は、成形性、リワーク性及び止水性の観点から、好ましくは１／９９〜３０／７０、より好ましくは２／９８〜２５／７５、更に好ましくは３／９７〜２０／８０、より更に好ましくは４／９６〜１５／８５、より更に好ましくは４／９６〜１３／８７、より更に好ましくは５／９５〜１３／８７である。
【００１１】
（ブチルゴム（ａ１））
本発明におけるブチルゴムとしては、ブチルゴム（ＩＩＲ）の他に、ハロゲン化されたブチルゴムを用いることもできる。ハロゲン化されたブチルゴムとしては、塩素化ブチルゴム、及び臭素化ブチルゴム等が挙げられる。これらの中でも押出時の混練性の向上及びシート成型後の柔軟性の観点から、ブチルゴム（ＩＩＲ）を用いることが好ましい。
ブチルゴムの１２５℃におけるムーニー粘度ＭＬ（１＋８）は、好ましくは２０〜６０、より好ましくは２５〜５５、更に好ましくは２５〜４０、より更に好ましくは２８〜３８である。ムーニー粘度が、前記範囲内であれば凝集力が向上するため成形体の強度が向上し、混練時の混練装置にかかる負荷を低くすることができるため成形性が向上する。
【００１２】
（エチレン−プロピレン−ジエンゴム（ａ２））
エチレン−プロピレン−ジエンゴムとしては、エチレンとプロピレンとの共重合体であるエチレンプロピレンゴム（ＥＰＭ）に、少量の第３成分を導入し、主鎖中に二重結合をもたせたものである。前記第３成分としては、エチリデンノルボルネン（ＥＮＢ）、１，４−ヘキサジエン（１，４−ＨＤ）、及びジシクロペンタジエン（ＤＣＰ）等が挙げられる。
エチレン−プロピレン−ジエンゴム（ａ２）中のジエン含有量は、押出混練時の発熱防止及び伸び率等の機械的特性の向上の観点から、好ましくは１〜１５質量％、より好ましくは２〜１２質量％、更に好ましくは３〜１０質量％である。
【００１３】
エチレン−プロピレン−ジエンゴム（ａ２）の１２５℃におけるムーニー粘度ＭＬ（１＋４）は、好ましくは１５〜７０、より好ましくは１５〜６０、更に好ましくは２０〜５０、より更に好ましくは２４〜３０である。エチレン−プロピレン−ジエンゴム（ａ２）の１２５℃におけるムーニー粘度が、前記下限値以上であると凝集力が高くなるため成形体の強度が向上し、前記上限値以下であると混練時に混練装置にかかる負荷が低くなるため成形性が向上する。
エチレン−プロピレン−ジエンゴムの市販品としては、ＥＰ２１、ＥＰ２２及びＥＰ３３（ＪＳＲ株式会社製）、エスプレン５６７（住友化学工業株式会社製）、及びＥＰＴ３０４５（三井石油化学工業株式会社製）等が例示される。
【００１４】
ゴム成分（Ａ）は、ブチルゴム（ａ１）及びエチレン−プロピレン−ジエンゴム（ａ２）以外のゴムを含有していてもよい。その他のゴムとしては、室温（２５℃）でゴム弾性（rubber elasticity）を有するものであれば特に制限はなく、例えば、クロロプレンゴム（ＣＲ）、イソプレンゴム（ＩＲ）、天然ゴム、スチレン−ブタジエン共重合ゴム（ＳＢＲ）、ブタジエンゴム（ＢＲ）、ウレタンゴム、フッ素ゴム、アクリルゴム、及びシリコーンゴム等が挙げられる。これらは、単独でもよく、２種以上を組み合わせて用いてもよい。
【００１５】
＜石油樹脂系粘着付与剤（Ｂ）＞
本発明においては、サッシ用止水材の被着面との密着性を向上させることを目的として、石油樹脂系粘着付与剤（Ｂ）を用いる。なお、本発明における石油樹脂系粘着付与剤（Ｂ）とは、石油ナフサ等の熱分解により得られる不飽和炭化水素を含む留分をカチオン重合した粘着付与剤をいう。
従来、ゴム成型体に対して粘着付与剤を配合することは行われていたが、通常使用される粘着付与剤では、リワーク性、被着面との密着性、及び止水性の全てを高い水準に向上させることは困難であった。しかしながら、前述の石油樹脂系の粘着付与剤を用いた場合に、リワーク性が向上し、且つ被着面との密着力が高く、更に止水性にも優れる密着層が得られることを見出した。
本発明において石油樹脂系粘着付与剤（Ｂ）を用いると、サッシ用止水材の被着面との密着性が向上する理由は明らかではないが、石油樹脂系粘着付与剤のゴム成分に対する分散性が良好であることに起因すると考えられる。
【００１６】
石油樹脂系粘着付与剤（Ｂ）としては、Ｃ５系石油樹脂粘着付与剤、Ｃ９系石油樹脂粘着付与剤、Ｃ５−Ｃ９共重合系石油樹脂粘着付与剤、クマロン樹脂粘着付与剤、クマロン−インデン系樹脂粘着付与剤、ピュアモノマー樹脂粘着付与剤、ジンクロペンダジエン系石油樹脂粘着付与剤、及びこれらの水素化物からなる粘着付与剤が挙げられる。
これらの中でも、サッシ用止水材の被着面との密着性を向上させる観点、及びゴム成分（Ａ）との相溶性の観点から、Ｃ５系石油樹脂粘着付与剤、Ｃ９系石油樹脂粘着付与剤、Ｃ５−Ｃ９共重合系石油樹脂粘着付与剤が好ましく、Ｃ５系石油樹脂粘着付与剤がより好ましい。
【００１７】
ゴム成分（Ａ）１００質量部に対する石油樹脂系粘着付与剤（Ｂ）の含有量は、密着性を向上させることにより止水性を確保する観点、及び適度な柔軟性を維持し、水圧に対する性能を向上させる観点から、７．０質量部以下、好ましくは６．５質量部以下、より好ましくは６．０質量部以下、更に好ましくは５．５質量部以下、より更に好ましくは５．２質量部以下であり、そして、１．０質量部以上、好ましくは１．５質量部以上、より好ましくは２．０質量部以上、更に好ましくは２．５質量部以上、より更に好ましくは３．０質量部以上である。
ゴム成分（Ａ）１００質量部に対する石油樹脂系粘着付与剤（Ｂ）の含有量が、前記下限値未満であると止水性能が低下し、前記上限値を超えると押出成形性が低下する。
【００１８】
＜密着層に用いられる添加剤＞
密着層は、添加剤を含んでいてもよい。添加剤としては、例えば、難燃剤、酸化防止剤、充填剤、顔料、着色剤、防カビ剤、発泡助剤、滑剤、重金属不活性化剤及び難燃助剤等が挙げられる。
難燃剤としては、例えば、水酸化アルミニウム、及び水酸化マグネシウム等の金属水酸化物の他に、デカブロモジフェニルエーテル等の臭素系難燃剤、及びポリリン酸アンモニウム等のリン系難燃剤等が挙げられる。
酸化防止剤としては、例えば、フェノール系酸化防止剤、及び硫黄系酸化防止剤等が挙げられる。
充填剤としては、例えば、タルク、炭酸カルシウム、ベントナイト、カーボンブラック、フュームドシリカ、アルミニウムシリケート、アセチレンブラック、及びアルミニウム粉等が挙げられる。これらの添加剤は、単独でもよく、２種以上を組み合わせて用いてもよい。
【００１９】
＜密着層の厚み＞
密着層の厚みは、０．０１〜２．０ｍｍであり、好ましくは０．０３〜１．０ｍｍ、より好ましくは０．０５〜０．３ｍｍである。厚みが前記範囲内であると密着性能が発揮され、反りが発生しにくくなるため好ましい。なお、本明細書における「反り」は、本発明のサッシ用止水材を５００ｍｍ×５００ｍｍにカットして平らな台に置き、カットしたサッシ用止水材の一部が台から１５ｍｍ以上離反し、浮き上がっている状態をいう。
【００２０】
＜密着層の製造方法＞
密着層の製造方法に特に制限はないが、ゴム成分（Ａ）、石油樹脂系粘着付与剤（Ｂ）、及び必要に応じて添加剤を押出機にて溶融混練した後、押出成形、カレンダー成形、インフレーション成形、又は樹脂を溶液状に溶かした後に蒸発させ樹脂だけを抽出する溶液キャスト成形を行うことにより得ることができる。前記成形方法としては、生産性等の観点から、押出成形が好ましい。
【００２１】
［独立気泡発泡体シート］
本発明に用いる独立気泡発泡体シートは、独立気泡率が７０％以上であれば特に制限はないが、止水性の観点から、オレフィン系樹脂やゴム系樹脂を発泡させたものであることが好ましく、オレフィン系樹脂を発泡させたものであることがより好ましい。
具体的には、オレフィン系樹脂やゴム系樹脂と、発泡剤とを混練することにより得られた発泡性樹脂組成物をシート状に成形することにより発泡性樹脂シートを準備し、次いで電離放射線等により架橋した後、加熱炉に通して発泡させる方法により製造した独立気泡発泡体シートが好ましい。
【００２２】
＜オレフィン系樹脂＞
独立気泡発泡体シートの原料となるオレフィン系樹脂としては、例えば、ポリエチレン系樹脂、ポリプロピレン系樹脂、プロピレン−エチレンブロック共重合体、エチレンを主成分とするエチレン−α−オレフィン共重合体、ポリプロピレン系樹脂、プロピレンを主成分とするプロピレン−α−オレフィン共重合体、プロピレンを主成分とするエチレン−プロピレン−ブテン三元共重合体、ポリブテン及びポリメチルペンテンから選ばれる１種以上が好ましい。
【００２３】
ポリエチレン系樹脂としては、例えば、低密度ポリエチレン、中密度ポリエチレン、高密度ポリエチレン、直鎖状低密度ポリエチレン、エチレンを主成分とするエチレン−酢酸ビニル共重合体、エチレンを主成分とするエチレン−エチルアクリレート共重合体等が挙げられる。
エチレン−α−オレフィン共重合体を構成するα−オレフィンとしては、例えば、プロピレン、１−ブテン、１−ペンテン、４−メチル−１−ペンテン、１−ヘキセン、１−ヘプテン、及び１−オクテン等が挙げられる。
プロピレン−α−オレフィン共重合体を構成するα−オレフィンとしては、例えば、エチレン、１−ブテン、１−ペンテン、４−メチル−１−ペンテン、１−ヘキセン、１−ヘプテン、及び１−オクテン等が挙げられる。これらのオレフィン系樹脂は、単独でもよく、２種以上を組み合わせて用いてもよい。
これらの中でも、止水性を向上させる観点から、低密度ポリエチレン、高密度ポリエチレン、及び低密度ポリエチレンと高密度ポリエチレンとの混合物が好ましく、低密度ポリエチレンがより好ましい。
【００２４】
＜ゴム系樹脂＞
ゴム系樹脂としては、止水性を向上させる観点から、アクリロニトリル−ブタジエンゴムが好ましい。アクリロニトリル−ブタジエンゴムとしては、アクリロニトリル成分の含有量が、好ましくは３０〜５０質量％、より好ましくは３５〜５０質量％、更に好ましくは４０〜４５質量％であるものが好ましい。アクリロニトリル成分の含有量が前記範囲内であると止水性が向上する。なお、複数種アクリロニトリル−ブタジエンゴムを用いる場合は、その重量平均値をアクリロニトリル成分の含有量とする。
【００２５】
ゴム系樹脂を構成するアクリロニトリル−ブタジエンゴム以外のゴムとしては、室温（２５℃）でゴム弾性（rubber elasticity）を有するものであれば特に制限はなく、例えば、クロロプレンゴム（ＣＲ）、イソプレンゴム（ＩＲ）、ブチルゴム（ＩＩＲ）、天然ゴム、スチレン−ブタジエン共重合ゴム（ＳＢＲ）、ブタジエンゴム（ＢＲ）、エチレン−プロピレン−ジエンゴム（ＥＰＤＭ）、ウレタンゴム、フッ素ゴム、アクリルゴム、及びシリコーンゴム等が挙げられる。これらは、単独でもよく、２種以上を組み合わせて用いてもよい。
【００２６】
＜発泡剤＞
発泡剤としては、熱により分解してガスを発生する熱分解型発泡剤が好ましい。熱分解型発泡剤としては、例えば、アゾジカルボンアミド、ベンゼンスルホニルヒドラジド、ジニトロソペンタメチレンテトラミン、トルエンスルホニルヒドラジド、及び４,４−オキシビス（ベンゼンスルホニルヒドラジド）等が挙げられる。これらは、単独でもよく、２種以上を組み合わせて用いてもよい。
【００２７】
熱分解型発泡剤の配合量は、ゴム系樹脂１００質量部に対して好ましくは１〜３０質量部、より好ましくは３〜２５質量部、更に好ましくは３〜２０質量部、より更に好ましくは３〜１５質量部、より更に好ましくは３〜１０質量部である。熱分解型発泡剤の配合量が少なすぎると、発泡倍率が上がらずに見掛け密度が高くなってしまい、反発力が高くなることがある。また、熱分解型発泡剤の配合量が多すぎると、見掛け密度の低下により圧縮永久歪みが大きくなり、架橋発泡ゴムの形状回復性が低下し、結果として長期間にわたる止水性を維持することができない場合がある。
【００２８】
＜独立気泡発泡体シートに用いられる添加剤＞
独立気泡発泡体シートは、添加剤を含んでいてもよい。添加剤としては、例えば、難燃剤、酸化防止剤、充填剤、顔料、着色剤、防カビ剤、発泡助剤、滑剤、重金属不活性化剤、及び難燃助剤等が挙げられる。
難燃剤としては、例えば、水酸化アルミニウム、水酸化マグネシウム等の金属水酸化物の他に、デカブロモジフェニルエーテル等の臭素系難燃剤、及びポリリン酸アンモニウム等のリン系難燃剤等が挙げられる。
酸化防止剤としては、例えば、フェノール系酸化防止剤、及び硫黄系酸化防止剤等が挙げられる。
充填剤としては、例えば、タルク、炭酸カルシウム、ベントナイト、カーボンブラック、フュームドシリカ、アルミニウムシリケート、アセチレンブラック、アルミニウム粉等が挙げられる。これらの添加剤は、単独でもよく、２種以上を組み合わせて用いてもよい。
【００２９】
＜独立気泡発泡体シートの厚み＞
独立気泡発泡体シートの厚みは、使用用途によって適宜選択され特に限定されないが、好ましくは０．０５〜１５ｍｍ、より好ましくは０．１〜１０ｍｍ、更に好ましくは０．５〜８ｍｍ、より更に好ましくは０．５〜５ｍｍである。厚みが前記範囲内であると、反りが発生しにくくなるため好ましい。
【００３０】
＜独立気泡発泡体シートの見掛け密度＞
独立気泡発泡体シートの見掛け密度は、独立気泡発泡体シートの柔軟性を向上させる観点から、好ましくは１５〜７００ｋｇ／ｍ3、より好ましくは１７〜６００ｋｇ／ｍ3、更に好ましくは２０〜５００ｋｇ／ｍ3である。見掛け密度が前記範囲内であると、反発力が高くなりすぎないため、施工性が良好になる。なお、独立気泡発泡体シートの見掛け密度が高い場合でも圧縮率を下げて施工することにより使用は可能である。
【００３１】
＜独立気泡発泡体シートの独立気泡率＞
本発明に用いる独立気泡発泡体シートの独立気泡率は７０％以上であり、気泡の一部に連続気泡が含まれていてもよい。独立気泡発泡体シートの独立気泡率は、止水性の観点から、好ましくは７０〜１００％、より好ましくは８０〜１００％、更に好ましくは８３〜１００％である。
なお、本発明における独立気泡率は、下記の要領で測定されたものをいう。
まず、独立気泡発泡体シートから一辺が５ｃｍの平面正方形状で且つ一定厚みの試験片を切り出す。そして、試験片の厚みを測定して試験片の見掛け体積Ｖ1を算出すると共に、試験片の重量Ｗ1を測定する。
次に、気泡の占める体積Ｖ2を下記式に基づいて算出する。なお、試験片を構成している樹脂の密度はρｇ／ｃｍ3とする。
気泡の占める体積Ｖ2＝Ｖ1−Ｗ1／ρ
続いて、試験片を２３℃の蒸留水中に水面から１００ｍｍの深さに沈めて、試験片に１５ｋＰａの圧力を３分間に亘って加える。しかる後、試験片を水中から取り出して試験片の表面に付着した水分を除去して試験片の重量Ｗ2を測定し、下記式に基づいて連続気泡率Ｆ1及び独立気泡率Ｆ2を算出する。
連続気泡率Ｆ1（％）＝１００×（Ｗ2−Ｗ1）／Ｖ2
独立気泡率Ｆ2（％）＝１００−Ｆ1
【００３２】
＜独立気泡発泡体シートの製造方法＞
本発明に用いる独立気泡発泡体シートの製造方法に特に制限はないが、ゴム系樹脂、粘着付与樹脂、添加剤及び発泡剤を混練することにより得られた発泡性樹脂組成物をシート状に成形することにより発泡性樹脂シートを準備し、次いで電離放射線等により架橋した後、加熱炉に通して発泡させる方法により製造することが好ましい。
【００３３】
〔発泡性樹脂シートの製造方法〕
発泡性樹脂シートの製造方法としては、例えば、発泡性樹脂組成物をバンバリーミキサーや加圧ニーダー等の混練り機を用いて溶融混練した後、押出機、カレンダー、コンベアベルトキャスティング等により連続的に押し出すことにより発泡性樹脂シートを製造する方法が挙げられる。
【００３４】
〔発泡性樹脂シートの架橋方法〕
次に、発泡性樹脂シートの架橋方法としては、電離性放射線による架橋、硫黄又は硫黄化合物による架橋、有機過酸化物による架橋等が挙げられる。
電離性放射線により架橋する場合、電離性放射線としては、例えば、光、γ線、電子線等が挙げられる。電離性放射線の照射量は、好ましくは０．５〜１５Ｍｒａｄ、より好ましくは０．７〜１０Ｍｒａｄである。
電離性放射線により架橋を行った場合、径が小さく均一な気泡を有する独立気泡発泡体シートを得ることができる。このような径が小さく均一な気泡を有する独立気泡発泡体シートは、その表面が平滑であって被着面に対する接触面積が大きくなり密着性が向上するため止水性に優れている。
有機過酸化物により架橋する場合、有機過酸化物としては、例えば、ジイソプロピルベンゼンヒドロパーオキサイド、２,４−ジクロロベンゾイルパーオキサイド、ベンゾイルパーオキサイド、ｔ−ブチルパーベンゾエート、クミルハイドロパーオキサイド、ｔ−ブチルハイドロパーオキサイド、１,１−ジ（ｔ−ブチルパーオキシ）−３,３,５−トリメチルヘキサン、ｎ−ブチル−４,４−ジ（ｔ−ブチルパーオキシ）バレレート、α,α'−ビス（ｔ−ブチルパーオキシイソプロピル）ベンゼン、２,５−ジメチル−２,５−ジ（ｔ−ブチルパーオキシ）ヘキシン−３、ｔ−ブチルパーオキシクメン等が挙げられる。
有機過酸化物の配合量は、ゴム系樹脂１００質量部に対して好ましくは０．０５〜１０質量部、より好ましくは０．１〜７質量部である。
【００３５】
〔架橋後の発泡性樹脂シートの発泡方法〕
架橋後の発泡性樹脂シートを発泡させる方法としては、オーブンのようなバッチ方式や、発泡性樹脂シートを長尺のシート状とし、連続的に加熱炉内を通す連続発泡方式を挙げることができる。
架橋後の発泡性樹脂シートを発泡させる際の温度は、使用する発泡剤の種類にもよるが、好ましくは２００〜３００℃、より好ましくは２２０〜２８０℃であり、これにより独立気泡発泡体シートを得ることができる。
【００３６】
［サッシ用止水材の２５％圧縮応力］
本発明のサッシ用止水材の２５％圧縮応力は、１０〜８００ｋＰａであり、好ましくは２０〜７００ｋＰａ、より好ましくは２５〜５００ｋＰａである。サッシ用止水材の２５％圧縮応力が前記範囲内であると、加工性が良好になり、組み付け性が向上する。なお、２５％圧縮応力は実施例に記載の方法により測定することができる。
【００３７】
［サッシ用止水材の製造方法］
本発明のサッシ用止水材の製造方法に特に制限はないが、前記方法により製造した独立気泡発泡体シートと、前記方法により製造した密着層とをラミネートすることにより製造することができる。
具体的には、単軸又は二軸の押出機に対して、前述の密着層の各材料を連続的に供給し、混練部において樹脂の融点以上の温度で混練後、溶融樹脂の樹脂圧を８０〜２５０ｋｇ／ｃｍ2、ピンチ圧を０．１〜１０．０ｋｇ／ｃｍ2、ピンチロール温度を１０〜５０℃として独立気泡発泡体シートに貼り合わせする方法（押出成形）により得ることができる。
【実施例】
【００３８】
本発明を実施例により更に詳細に説明するが、本発明はこれらの例によってなんら限定されるものではない。
以下の実施例及び比較例で使用した材料は以下のとおりである。
・ブチルゴム（ＩＩＲ）
ブチルゴム（１）：ＪＳＲ株式会社製「ＢＵＴＹＬ０６５」
ムーニー粘度ＭＬ（１＋８）１２５℃＝３２
ブチルゴム（２）：ＪＳＲ株式会社製「ＢＵＴＹＬ２６８」
ムーニー粘度ＭＬ（１＋８）１２５℃＝５１
【００３９】
・エチレン−プロピレン−ジエンゴム（ＥＰＤＭ）
エチレン−プロピレン−ジエンゴム（１）：ＪＳＲ株式会社製「EP21」
ムーニー粘度ＭＬ（１＋４）１２５℃＝２６
エチレン−プロピレン−ジエンゴム（２）：ＪＳＲ株式会社製「EP25」
ムーニー粘度ＭＬ（１＋４）１２５℃＝６３
エチレン−プロピレン−ジエンゴム（３）：ＪＳＲ株式会社製「EP24」
ムーニー粘度ＭＬ（１＋４）１２５℃＝４２
【００４０】
・低密度ポリエチレン（ＬＤＰＥ）
日本ポリエチレン株式会社製「ノバテックＬＥ５２０Ｈ」
【００４１】
・石油樹脂系粘着付与剤
石油樹脂系粘着付与剤（１）：日本ゼオン株式会社製「QuintoneR-100」
石油樹脂系粘着付与剤（２）：日本ゼオン株式会社製「QuintoneA-100」
石油樹脂系粘着付与剤（３）：日本ゼオン株式会社製「QuintoneG-115」
なお、前記石油樹脂系粘着付与剤（１）〜（３）は全てＣ５系石油樹脂粘着付与剤である。
【００４２】
・ロジンジオール系粘着付与剤
荒川化学工業株式会社製「パインクリスタルＤ−６０１１」
・テルペンフェノール系粘着付与剤
ヤスハラケミカル株式会社「ＹＳポリスターＴ８０」
【００４３】
・発泡剤（１）（ＡＤＣＡ；アゾジカルボンアミド）
大塚化学株式会社製「ユニホームＳＯ−Ｇ３ＩＳＴ」
【００４４】
・フェノール系酸化防止剤（１）
株式会社ＡＤＥＫＡ製「アデカスタブＡＯ−６０Ｐ」
・フェノール系酸化防止剤（２）
株式会社ＡＤＥＫＡ製「アデカスタブＡＯ−５０」
・硫黄系酸化防止剤
大内新興化学工業株式会社製「ノクラック４００Ｓ」
【００４５】
・滑剤
堺化学工業株式会社製「ＫＰ７２０Ｂ」
・重金属不活性化剤
株式会社ＡＤＥＫＡ製「アデカスタブＣＤＡ−１」
・カーボンブラック
旭カーボン株式会社製「＃６０」
【００４６】
実施例１
＜独立気泡発泡体シートの製造＞
低密度ポリエチレン（ＬＤＰＥ）１００質量部に発泡剤（１）５質量部、フェノール系酸化防止剤（１）０．５質量部、硫黄系酸化防止剤０．２質量部、滑剤１質量部、重金属不活性化剤０．５質量部、光安定剤１質量部を配合し、押出機にて溶融混練して押し出すことで、未架橋且つ未発泡のシートを得た。
得られた未架橋且つ未発泡のシートに線量２．０Ｍｒａｄ、加速電圧５４０ｋＶの電子線を照射することにより、架橋且つ未発泡のシートを得た。
得られた架橋且つ未発泡のシートを、発泡炉中で２４０℃に加熱することにより、発泡剤（１）を分解発泡させることにより、見かけ密度１００ｋｇ／ｍ3、厚み１．０ｍｍの独立気泡発泡体シートを得た。
【００４７】
＜サッシ用止水材の製造（独立気泡発泡体シートと密着層との積層）＞
ブチルゴム（１）を１００質量部、フェノール系酸化防止剤（２）０．７質量部、硫黄系酸化防止剤０．３質量部、カーボンブラック３質量部、及び石油樹脂系粘着付与剤（１）５質量部を配合したものを押出機にて溶融混練した後、厚み０．１２ｍｍの密着層を押出し、前記方法により得られた独立気泡発泡体シートとラミネートすることにより、サッシ用止水材を作成した。
【００４８】
実施例２〜９、比較例１〜５
表１〜３に記載の配合としたこと以外は実施例１と同様にサッシ用止水材を作成した。
【００４９】
［評価］
前記実施例及び比較例で製造したサッシ用止水材について、後述のピール密着力、止水評価、２５％圧縮応力、密着層と独立気泡発泡体シートとの接着性、リワーク性、及び押出成形性の評価を行った。結果を表１〜３に示す。
【００５０】
＜ピール密着力評価＞
・評価方法
実施例及び比較例で得られた各サッシ用止水材を幅２５ｍｍ、長さ３００ｍｍにカットし、サッシ用止水材の密着層側の面をアクリル板に貼り付けた後、１０ｍｍ厚みの塗装鋼板にて５０％圧縮し、２３℃にて１時間放置した。１時間後圧縮を開放し、１８０°方向のピール粘着力を測定した。
・評価基準
本試験においては、測定値が２．０Ｎ／２５ｍｍ以上が好ましく、リワーク性の観点から２．０〜２２．０Ｎ／２５ｍｍがより好ましい。
【００５１】
＜止水評価＞
得られたサッシ用止水材を内径４０ｍｍ、外径６０ｍｍ（シール巾１０ｍｍ）のリング状に加工した。次いで、サッシ用止水材の独立気泡発泡体シートの面に両面テープ（積水化学工業株式会社製、＃５７８２）を貼付し、１０ｍｍ厚のアクリル板に貼付した。このサッシ用止水材の密着層の上に内径５０ｍｍ、長さ７０ｍｍ、肉厚１ｍｍのアルミ管を設置した。このアルミ管の他方の開口部の縁部に内径４０ｍｍ、外径６０ｍｍ（シール巾１０ｍｍ）のリング状の前記両面テープを貼付し、この両面テープの上に厚み１０ｍｍで中央部に水の注入口を有するアクリル板を載せた。この注入口から水を注入し、アルミ管の底部のサッシ用止水材に対して５５０Ｐａの圧力がかかるように水を貯水した。次いで、水を貯水した状態でサッシ用止水材が５０％になるように圧縮し５００時間放置した。
５００時間後圧縮量を徐々に減らし、水が漏れた際の解放率を測定した。なお、解放率は、圧縮前の止水シール材の厚さと水が漏れた際の止水シール材の厚さとから計算した。
なお、本止水評価における開放率は、１０％以上が好ましく、２０％以上がより好ましい。
【００５２】
＜２５％圧縮応力＞
・測定方法
実施例及び比較例で得られた各サッシ用止水材を長さ３０ｍｍ、幅３０ｍｍに切断した試料を、厚みを２５ｍｍの直方体するために積層した。試料より大きな面積の板で試料をはさみ、２３℃の温度下で１０ｍｍ／ｍｉｎの速度で試料を圧縮させ１８．７５ｍｍ（もとの厚みの２５％分を圧縮）になった際の応力（歪み）を測定した。
【００５３】
＜密着層と独立気泡発泡体シートとの接着性評価＞
・評価方法
実施例及び比較例で得られた各サッシ用止水材の密着層と独立気泡発泡体シートとをＪＩＳ  Ｋ  ６７６７−１９９５の引張強さ試験Ｂ法に準拠し行った。
具体的には、試験片は長さ５０ｍｍ、幅５０ｍｍ、厚み１０ｍｍの直方体とし、試験片の厚みを中央部で測定した後、冶具の間に試験片をはさみ、サッシ用止水材の両面を同一の両面テープ（積水化学工業株式会社製、＃５７８２）で治具に貼合した。貼合完了してから引張り速度１０ｍｍ／ｍｉｎで引張り試験を行った。
・基準
１：１ｋｇｆ／ｃｍ2以上の場合（接着性良好）
２：１ｋｇｆ／ｃｍ2未満の場合（接着性不足）
【００５４】
＜リワーク性評価＞
・評価方法
実施例及び比較例で得られた各サッシ用止水材を幅２５ｍｍ、長さ３００ｍｍにカットし、アクリル板に貼り付けた後、１０ｍｍ厚みの塗装鋼板にて５０％圧縮し、２３℃にて１時間放置した。１時間後、圧縮を開放し、１８０°方向のピール粘着力の測定を行った。本測定を５回行い、下記基準にしたがって評価した。
・基準
１：５回とも独立気泡発泡体シートが凝集破壊しなかった場合
２：５回以内に独立気泡発泡体シートが凝集破壊した場合
【００５５】
＜密着層の押出成形性評価＞
・評価方法
表１〜３に記載の密着層の配合にしたがってバンバリーミキサーを用いて混練した後、８０ｋｇ／ｈｒの条件により押出機で押出シートを成形し、得られた押出シートの厚みについて平均厚みを測定した。次いで、押出シートの幅方向に１０ｃｍ間隔で１０点測定し、各点について平均厚みとの差の絶対値を算出した。当該絶対値が、平均厚みの３０％分以上となる測定値の個数について下記基準にしたがって凹凸を評価した。
・基準
１：平均厚みの３０％分以上となる前記絶対値が０個である場合
２：平均厚みの３０％分以上となる前記絶対値が１個以上４個未満である場合
３：平均厚みの３０％分以上となる前記絶対値が４個以上である場合
【００５６】
【表１】
2017043920.tif 000002
【００５７】
【表２】
2017043920.tif 000003
【００５８】
【表３】
2017043920.tif 000004
【００５９】
表１〜３の結果から明らかなように、本発明のサッシ用止水材は、被着面に対する密着力が高く、止水性に優れていることが分かる。